(57)【要約】      （修正有）【課題】状況に応じたロック解除手段の選択と解除方法の漏えい防止が可能な、認証機能の設定および解除方法を提供する。【解決手段】カメラ１００の使用や機能を制限する認証機能（ＣＰＵ）１４０と、認証機能を解除する複数の認証機能解除手段１３０、１４０、１５０、１６０、２００と、複数の認証機能解除手段とのいずれかひとつと対応づけられた通知手段とからなる認証機能解除手段選択画面と、複数の認証機能解除手段選択画面のいずれかひとつを表示する表示手段２００と、選択画面において、複数の認証機能解除手段のいずれかひとつを選択する選択手段１４０、１５０３の一部、２００と、複数の認証機能解除手段のいずれかひとつが選択されたときに、複数の認証機能解除手段と通知手段との対応が正しいかどうかを判別する判別手段（ＣＰＵ）１４０を有し、判別手段によって対応が正しいと判別された場合のみ認証機能を解除する。【選択図】図１
2015226167.tif 000002
【特許請求の範囲】
【請求項１】
カメラ（１００）の使用や、カメラの機能を制限する、認証機能（１４０）と、
前記認証機能を解除する、複数の認証機能解除手段（１３０、１４０、１５０、１６０、２００）と、
前記複数の認証機能解除手段と、前記複数の認証機能解除手段のいずれかひとつと対応づけられた、通知手段（２０６、２０７、２０８、２０９）とからなる、複数の認証機能解除手段選択画面（２１０、２２０、２３０、２４０）と、
前記複数の認証機能解除手段選択画面のいずれかひとつを表示する、表示手段（２００）と、
前記複数の認証機能解除手段選択画面において、前記複数の認証機能解除手段のいずれかひとつを選択する、選択手段（１４０、１５３、１５４、１５５、２００）と、
前記複数の認証機能解除手段選択画面において、前記複数の認証機能解除手段のいずれかひとつが選択されたときに、前記複数の認証機能解除手段と、前記通知手段との対応が正しいかどうかを判別する、判別手段（１４０）を有し、
前記判別手段によって、前記複数の認証機能解除手段と、前記通知手段との対応が正しいと判別された場合のみ、前記認証機能を解除することを特徴とする認証機能の解除方法。
【請求項２】
前記複数の認証機能解除手段のうち、少なくともひとつは、パスワード入力による認証機能解除手段である、第１の認証機能解除手段選択画面（２１０）を有することを特徴とする請求項１に記載の認証機能の解除方法。
【請求項３】
前記複数の認証機能解除手段のうち、少なくともひとつは、顔認証による認証機能解除手段である、第２の認証機能解除手段選択画面（２２０）を有することを特徴とする請求項１に記載の認証機能の解除方法。
【請求項４】
前記表示手段はタッチパネル機能を有し、前記複数の認証機能解除手段のうち、少なくともひとつは、前記表示手段へのジェスチャー入力による認証機能解除手段である、第３の認証機能解除手段選択画面（２３０）を有することを特徴とする請求項１に記載の認証機能の解除方法。
【請求項５】
前記複数の認証機能解除手段のうち、少なくともひとつは、音声入力による認証機能解除手段である、第４の認証機能解除手段選択画面（２４０）を有することを特徴とする請求項１に記載の認証機能の解除方法。
【請求項６】
前記複数の認証機能解除手段選択画面のいずれかひとつを前記表示手段に表示する優先順位を決定する、表示優先順位決定手段（１４０）を有し、前記表示優先順位決定手段で決定した、優先順位に応じて、前記複数の認証機能解除手段選択画面のいずれかひとつを前記表示手段に表示することを特徴とする請求項１に記載の認証機能の解除方法。
【請求項７】
カメラの周囲の温度を検出する、温度検出手段（１７０）と、カメラの周囲の温度が所定の温度以下の場合は、第３の認証機能解除手段選択画面を前記表示手段に表示する優先順位を低く設定するように制御する、前記表示優先順位決定手段を有することを特徴とする請求項１乃至請求項６の何れか一項に記載の認証機能の解除方法。
【請求項８】
カメラの周囲の音声を集音し、音圧を測定する、音声検出手段（１４０、１６０）と、カメラの周囲の音声の音圧が所定の音圧以上の場合は、第４の認証機能解除手段選択画面を前記表示手段に表示する優先順位を低く設定するように制御する、前記表示優先順位決定手段を有することを特徴とする請求項１乃至請求項６の何れか一項に記載の認証機能の解除方法。
【請求項９】
カメラに撮影レンズ（１２０）が装着されているかどうかを検知する、レンズ検知手段（１８０）と、カメラに撮影レンズが装着されていない場合は、第２の認証機能解除手段選択画面を前記表示手段に表示する優先順位を低く設定するように制御する、前記表示優先順位決定手段を有することを特徴とする請求項１乃至請求項６の何れか一項に記載の認証機能の解除方法。
【請求項１０】
前記判別手段によって、前記複数の認証機能解除手段と、前記通知手段との対応が誤っていると判別された回数を計測する、計測手段（１４０）と、前記計測手段で計測した回数が所定の回数を超えた場合に、顔認証による認証機能解除手段に設定するように制御することを特徴とする請求項１に記載の認証機能の解除方法。
【請求項１１】
前記判別手段によって、前記複数の認証機能解除手段と、前記通知手段との対応が誤っていると判別された回数を計測する、計測手段と、前記計測手段で計測した回数が所定の回数を超えた場合に、認証機能解除を禁止するように制御することを特徴とする請求項１に記載の認証機能の解除方法。
【発明の詳細な説明】
【技術分野】
【０００１】
本発明は、デジタルカメラに関し、特に認証機能を有するカメラの、認証機能の設定および解除方法に関する。
【背景技術】
【０００２】
従来、デジタルカメラには、ユーザーがカメラを使用したり、記録されている撮影画像を再生する際に、パスワードの入力を要求したり、個人を認識するための認証機能を有するものがあった。このようなカメラにおいて、ユーザーの使い勝手の向上や、第三者へのパスワード漏えいを防止する提案がなされている。
【０００３】
特許文献１では、装置本体を複数のスタイルに変更可能な携帯端末装置において、現在のスタイルに基づいてスタイル別端末ロック解除テーブル、スタイル別機能制限解除テーブルを参照する。そして、現在のスタイルに対応付けられている認証手段を選択し、この認証手段によって正規なユーザーであることが認証された際に、端末ロックの設定を解除したり、選択された機能の使用制限を解除する認証機能付き携帯端末装置が開示されている。
【０００４】
特許文献２では、ディスプレイに表示されているロック画面上のオブジェクトに対する操作内容に応じて、ロック状態を解除し、ロック画面以外の他の画面に遷移させる装置が開示されている。
【０００５】
特許文献３では、指紋パターンと指紋パターンの移動量と移動方向を検出できる指紋検出型情報入力装置で、認証機能と操作対象の設定および変更を操作、入力可能としたことを特徴とする光学装置が開示されている。
【先行技術文献】
【特許文献】
【０００６】
【特許文献１】特開２００７−３３６２４５号公報
【特許文献２】特開２０１３−１３１１０８号公報
【特許文献３】特開２００６−３０１２０１号公報
【発明の概要】
【発明が解決しようとする課題】
【０００７】
しかしながら、特許文献１に開示された従来技術では、装置本体のスタイルごとに認証手段を設けていることで、ユーザーが認証手段を選択したい場合には、装置本体のスタイルを変更する必要があり、操作性が損なわれる問題があった。また、指紋センサのように認証手段に利用するためだけのデバイスを設ける必要があり、コストがかかってしまうという問題があった。特許文献２に開示された従来技術では、タッチディスプレイを使用できない状況での装置使用が考慮されていない。特許文献３に開示された従来技術では、指紋検出を使用できない状況での装置使用が考慮されていない。
【０００８】
そこで本発明の目的は、状況に応じたロック解除手段の選択と、ロック解除方法の漏えい防止が可能な、認証機能を有するデジタルカメラの、認証機能の設定および解除方法を提供することにある。
【課題を解決するための手段】
【０００９】
上記目的を達成するために、本発明は、
カメラ（１００）の使用や、カメラの機能を制限する、認証機能（１４０）と、
前記認証機能を解除する、複数の認証機能解除手段（１３０、１４０、１５０、１６０、２００）と、
前記複数の認証機能解除手段と、前記複数の認証機能解除手段のいずれかひとつと対応づけられた、通知手段（２０６、２０７、２０８、２０９）とからなる、複数の認証機能解除手段選択画面（２１０、２２０、２３０、２４０）と、
前記複数の認証機能解除手段選択画面のいずれかひとつを表示する、表示手段（２００）と、
前記複数の認証機能解除手段選択画面において、前記複数の認証機能解除手段のいずれかひとつを選択する、選択手段（１４０、１５３、１５４、１５５、２００）と、
前記複数の認証機能解除手段選択画面において、前記複数の認証機能解除手段のいずれかひとつが選択されたときに、前記複数の認証機能解除手段と、前記通知手段との対応が正しいかどうかを判別する、判別手段（１４０）を有し、
前記判別手段によって、前記複数の認証機能解除手段と、前記通知手段との対応が正しいと判別された場合のみ、前記認証機能を解除することを特徴とする。
【発明の効果】
【００１０】
本発明によれば、状況に応じたロック解除手段の選択とロック解除方法の漏えい防止が可能な、認証機能を有するデジタルカメラの、認証機能の設定および解除方法を提供することができる。
【図面の簡単な説明】
【００１１】
【図１】本発明の実施形態にかかわるカメラの構成ブロック図である。
【図２】本発明の実施形態にかかわるカメラの外観図である。
【図３】本発明の実施形態にかかわるロック解除手段の設定画面である。
【図４】本発明の実施形態にかかわるロック解除手段選択画面である。
【図５】本発明の実施形態にかかわるロック解除手段の設定フローである。
【図６】本発明の実施形態にかかわるロック解除手段の表示選択フローである。
【図７】本発明の実施形態にかかわるロック解除フローである。
【発明を実施するための形態】
【００１２】
以下に、本発明の好ましい実施の形態を、添付の図面に基づいて詳細に説明する。
まず、図１と図２を用いてカメラの構成を説明する。図１は、本発明の実施形態にかかわるカメラの構成ブロック図である。図２は、本発明の実施形態にかかわるカメラの外観図である。図２の（ａ）は正面図、（ｂ）は上面図、（ｃ）は側面図、（ｄ）は背面図である。
【００１３】
図１および図２において、カメラ１００は、カメラ本体１１０とカメラ本体１１０から着脱可能に取り付けられ、撮影光束を取り込む撮影レンズ１２０とから構成されている。カメラ本体１１０には、撮影レンズ１２０の着脱を検知する、レンズ検知センサ（１８０）を有する。１３０は撮影レンズ１２０から取り込んだ撮影光束を光電変換する、ＣＭＯＳやＣＣＤなどからなる撮像素子である。撮影レンズ１２０から取り込んだ撮影光束は、撮像素子１３０によって光電変換され、撮影画像として記録媒体（不図示）に記録される。
【００１４】
１４０はＣＰＵで、カメラ１００の駆動制御を行う。１５１は、押し込むことで撮影動作をおこなう、シャッタボタンである。シャッタボタン１５１は２段階式に構成されている。具体的には、シャッタボタン１５１を軽く押して止める「半押し」の状態で自動焦点調節（ＡＦ）及び自動露出制御（ＡＥ）が作動してＡＦとＡＥをロックし、「半押し」から更に押し込む「全押し」することにより撮影が行われるようになっている。１５２はカメラ１００の電源を「ｏｎ」と「ｏｆｆ」に切り替える電源レバーである。
【００１５】
１５３はカメラ１００の設定を選択したり、後述する背面モニタ２００に表示された複数の項目から所定の項目を選択するための、回転可能な部材によって構成されている選択ダイヤルである。１５４は選択ダイヤル１５３で選択した項目を決定するための選択ボタンである。
【００１６】
１５５はボタン中心から上下左右方向とそれぞれの間の斜め方向に倒しこむことで、８方向の入力が可能な方向入力ボタンである。方向入力ボタン１５５は、カメラ１００の設定を選択したり、後述する背面モニタ２００に表示された複数の項目から所定の項目を選択することができる。また、方向入力ボタン１５５はボタン中央を押し込むことで、方向入力によって選択した項目を決定することができる。
【００１７】
１５６は記録媒体（不図示）に記録されている撮影画像を再生するための再生ボタンである。１５７はカメラ１００の設定を行うモードや、本発明の認証機能である、ロック解除手段の設定を行うモードに移行するためのメニューボタンである。２００は記録媒体（不図示）に記録されている撮影画像や、カメラ１００の設定を変更するための設定画面などを表示する背面モニタである。背面モニタ２００は、タッチパネル機能を有し、ユーザーが指やスタイラス（不図示）などで背面モニタ２００の表面をタッチ操作やスライド操作することで、撮影画像の編集やカメラ設定の変更が可能である。なお、本発明の説明では背面モニタ２００の表面をタッチ操作やスライド操作することを、タッチ入力と表現することとする。
【００１８】
１６０はカメラ１００の周囲の音声を集音するためのマイクである。マイク１６０で集音した音声は、音声データとして、撮影画像とともに記録媒体（不図示）に記録することが可能である。１７０はカメラ１００の周囲の温度を検出する温度センサである。
【００１９】
なお、撮像素子１３０は、本発明の請求項に記載の認証機能解除手段に相当する。ＣＰＵ１４０は、本発明の請求項に記載の認証機能、認証機能解除手段、選択手段、判別手段、表示優先順位決定手段、音声検出手段、計測手段に相当する。選択ダイヤル１５３、選択ボタン１５４、方向入力ボタン１５５は本発明の請求項に記載の選択手段に相当する。マイク１６０は、本発明の請求項に記載の認証機能解除手段、音声検出手段に相当する。温度センサ１７０は、本発明の請求項に記載の温度検出手段に相当する。レンズ検知センサ１８０は、本発明の請求項に記載のレンズ検知手段に相当する。背面モニタ２００は、本発明の請求項に記載の認証機能解除手段、表示手段に相当する。
【００２０】
以下、図１から図７を参照して、本発明の実施形態にかかわる、認証機能の設定および解除方法について説明する。
【００２１】
図３は、本発明の実施形態にかかわるロック解除手段の設定画面である。図３（ａ）は、ロック解除手段の設定画面で、後述するロック解除手段選択画面の背景を選択する画面である。図３（ｂ）は、ロック解除手段の設定画面で、ロック解除手段を選択する画面である。
【００２２】
図４は、本発明の実施形態にかかわるロック解除手段選択画面である。ここで、ロック解除手段選択画面は、本発明の請求項に記載の認証機能解除手段選択画面に相当する。図４（ａ）はロック解除手段選択画面の背景として風景写真を設定したものである。図４（ｂ）はロック解除手段選択画面の背景として室内写真を設定したものである。図４（ｃ）はロック解除手段選択画面の背景として斜線パターンを設定したものである。図４（ｄ）はロック解除手段選択画面の背景として単一色を設定したものである。
【００２３】
図５は、本発明の実施形態にかかわるロック解除手段の設定フローである。図６は、本発明の実施形態にかかわるロック解除手段の表示選択フローである。図７は、本発明の実施形態にかかわるロック解除フローである。
【００２４】
まず、図３および図５を参照して、本発明の実施形態にかかわるロック解除手段の設定について説明する。
【００２５】
図３および図５において、まず、ユーザーがメニューボタン１５７を操作して、ステップ３０１のロック解除手段の設定モードに移行すると、背面モニタ２００に図３（ａ）の設定画面が表示される。２０６は後述するロック解除手段選択画面の背景ａ（風景）である。２０７は後述するロック解除手段選択画面の背景ｂ（室内）である。２０８は後述するロック解除手段選択画面の背景ｃ（斜線パターン）である。２０９は後述するロック解除手段選択画面の背景ｄ（単一色）である。
【００２６】
ステップ３０２で、ユーザーがカメラ１００にあらかじめ保存されている画像の中から、ロック解除手段選択画面の第１の背景を選択する。本実施形態では、背面モニタ２００に図３（ａ）の設定画面が表示されている状態で、背景ａ（風景）２０６を第１の背景として選択する。ここで、ユーザーが背景ａ（風景）２０６を第１の背景として選択すると、背面モニタ２００の表示は、図３（ａ）から図３（ｂ）へ遷移する。２０１はパスワードによるロック解除を示す、パスワードアイコンである。２０２は顔認証によるロック解除を示す、顔認証アイコンである。２０３はジェスチャーによるロック解除を示す、ジェスチャーアイコンである。２０４は音声入力によるロック解除を示す、音声入力アイコンである。
【００２７】
つぎに、ステップ３０３で、ユーザーが第１のロック解除手段を選択する。本実施形態では、背面モニタ２００に図３（ｂ）の設定画面が表示されている状態で、パスワードによるロック解除手段を示すパスワードアイコン２０１を選択する。
【００２８】
つぎに、ステップ３０４で、ＣＰＵ１４０により、第１の背景を第１のロック解除手段の通知手段として対応づける。すなわち、ロック解除手段選択画面の背景が、背景ａ（風景）２０６のときには、パスワードによるロック解除手段の選択のみが有効になるように設定する。以降のステップでは、図３（ａ）（ｂ）のロック解除手段の設定画面の説明は省略する。
【００２９】
つぎに、ステップ３０５で、ユーザーがカメラ１００にあらかじめ保存されている画像の中から、ロック解除手段選択画面の第２の背景を選択する。本実施形態では、背景ｂ（室内）２０７を第２の背景として選択する。
【００３０】
つぎに、ステップ３０６で、ユーザーが第２のロック解除手段を選択する。本実施形態では、顔認証によるロック解除手段を選択する。
【００３１】
つぎに、ステップ３０７で、ＣＰＵ１４０により、第２の背景を第２のロック解除手段の通知手段として対応づける。すなわち、ロック解除手段選択画面の背景が、背景ｂ（室内）２０７のときには、顔認証によるロック解除手段の選択のみが有効になるように設定する。
【００３２】
つぎに、ステップ３０８で、ユーザーがカメラ１００にあらかじめ保存されている画像の中から、ロック解除手段選択画面の第３の背景を選択する。本発明では、背景ｃ（斜線パターン）２０８を第３の背景として選択する。
【００３３】
つぎに、ステップ３０９で、ユーザーが第３のロック解除手段を選択する。本実施形態では、音声入力によるロック解除手段を選択する。
【００３４】
つぎに、ステップ３１０で、ＣＰＵ１４０により、第３の背景を第３のロック解除手段の通知手段として対応づける。すなわち、ロック解除手段選択画面の背景が、背景ｃ（斜線パターン）２０８のときには、音声入力によるロック解除手段の選択のみが有効になるように設定する。
【００３５】
つぎに、ステップ３１１で、ユーザーがカメラ１００にあらかじめ保存されている画像の中から、ロック解除手段選択画面の第４の背景を選択する。本実施形態では、背景ｄ（単一色）２０９を第４の背景として選択する。
【００３６】
つぎに、ステップ３１２で、ユーザーが第４のロック解除手段を選択する。本発明では、音声入力によるロック解除手段を選択する。
【００３７】
つぎに、ステップ３１３で、ＣＰＵ１４０により、第４の背景を第４のロック解除手段の通知手段として対応づける。すなわち、ロック解除手段選択画面の背景が、背景ｄ（単一色）２０９のときには、音声入力によるロック解除手段の選択のみが有効になるように設定する。
【００３８】
つぎに、ユーザーがメニューボタン１５７を操作して、ロック解除手段の設定モードを終了する。
【００３９】
つぎに、図４を参照して、本発明の実施形態にかかわるロック解除手段選択画面について説明する。
【００４０】
図４（ａ）（ｂ）（ｃ）（ｄ）において、２０１はパスワードによるロック解除を示す、パスワードアイコンである。ユーザーによって、パスワードアイコン２０１がロック解除手段として選択されると、タッチ入力であらかじめ設定された複数の数字や文字の組み合わせを入力することで、ロック解除が可能である。ここで、あらかじめ設定された複数の数字や文字の組み合わせの入力は、選択ダイヤル１５３、選択ボタン１５４、方向入力ボタン１５５で行えるようにしても良い。
【００４１】
２０２は顔認証によるロック解除を示す、顔認証アイコンである。ユーザーによって、顔認証アイコンがロック解除手段として選択されると、カメラ１００で顔を撮影し、あらかじめ設定された顔と一致している場合にロック解除が可能である。
【００４２】
２０３はジェスチャーによるロック解除を示す、ジェスチャーアイコンである。ユーザーによって、ジェスチャーアイコン２０３がロック解除手段として選択されると、タッチ入力であらかじめ設定されたジェスチャーを入力することで、ロック解除が可能である。ここで、あらかじめ設定されたジェスチャーの入力は、カメラ１００でジェスチャーの動画像を撮影することで行えるようにしても良い。
【００４３】
２０４は音声入力によるロック解除を示す、音声入力アイコンである。ユーザーによって、音声入力アイコン２０４がロック解除手段として選択されると、マイク１６０に音声入力であらかじめ設定された合言葉を入力することで、ロック解除が可能である。
２０５はロック解除手段選択画面であることを示す、ロックアイコンである。
【００４４】
２０６はロック解除手段選択画面の背景ａ（風景）である。ここで、背景ａ（風景）２０６はパスワードアイコン２０１と、上述した設定方法で対応づけられている。２１０（図４（ａ））はパスワードによるロック解除手段の選択のみが有効になるように設定されている、第１のロック解除手段選択画面である。なお、第１のロック解除手段選択画面２１０は、本発明の請求項に記載の第１の認証機能解除手段選択画面に相当する。
【００４５】
２０７はロック解除手段選択画面の背景ｂ（室内）である。ここで、背景ｂ（室内）２０７は顔認証アイコン２０２と、上述した設定方法で対応づけられている。２２０（図４（ｂ））は顔認証によるロック解除手段の選択のみが有効になるように設定されている第２のロック解除手段選択画面である。なお、第２のロック解除手段選択画面２２０は、本発明の請求項に記載の第２の認証機能解除手段選択画面に相当する。
【００４６】
２０８はロック解除手段選択画面の背景ｃ（斜線パターン）である。ここで、背景ｃ（斜線パターン）はジェスチャーアイコン２０３と、上述した設定方法で対応づけられている。２３０（図４（ｃ））はジェスチャーによるロック解除手段の選択のみが有効になるように設定されている、第３のロック解除手段選択画面である。なお、第３のロック解除手段選択画面２３０は、本発明の請求項に記載の第３の認証機能解除手段選択画面に相当する。
【００４７】
２０９はロック解除手段選択画面の背景ｄ（単一色）である。ここで、背景ｄ（単一色）２０９は音声入力アイコン２０４と、上述した設定方法で対応づけられている。２４０（図４（ｄ））は音声入力によるロック解除手段の選択のみが有効になるように設定されている、第４のロック解除手段選択画面である。なお、第４のロック解除手段選択画面２４０は、本発明の請求項に記載の第４の認証機能解除手段選択画面に相当する。
【００４８】
上述の通り、複数のロック解除手段を設け、ロック解除手段選択画面の背景とロック解除手段を対応づけることで、第三者によるロック解除手段の判別が困難になるため、ロック解除方法の漏えい防止が可能である。さらに、複数のロック解除手段に使用する機能は、カメラの撮影や再生に使用しているデバイスを利用することで、コストアップを抑えることが可能である。
【００４９】
つぎに、図４および図６を参照して、ロック解除手段選択画面を背面モニタ２００に表示する際の、優先順位の判定について説明する。
【００５０】
図４および図６において、まず、ユーザーが電源レバー１５２を操作して、カメラ１００の電源がｏｎ状態になると、ステップ４０１のロック解除手段の選択表示モードに移行する。ここで選択表示モードは、後述する優先順位にもとづいて、ＣＰＵ１４０により複数のロック解除手段選択画面のうちいずれかひとつを自動的に選択し、背面モニタ２００に表示するモードのことである。
【００５１】
つぎに、ステップ４０２で、温度センサ１７０により、カメラ１００の周囲の温度を測定する。
【００５２】
つぎに、ステップ４０３で、ＣＰＵ１４０により、測定した温度が所定の温度以上かどうかを判別する。測定した温度が所定の温度以上の場合は、ステップ４０５に移行し、所定の温度以下の場合は、ステップ４０４に移行する。ステップ４０４では、ＣＰＵ１４０により、ジェスチャーによるロック解除手段を自動選択する優先順位を低く設定する。たとえば、寒冷地などの気温が低い環境では、ユーザーが手袋をしている可能性があり、タッチ入力が困難である。そのため、ジェスチャーによるロック解除手段を自動選択する優先順位を低く設定することで、タッチ入力を必要としない、ロック解除手段が自動選択されやすくすることができる。ここで、本実施形態では、所定の温度以下の場合は、ジェスチャーによるロック解除手段を自動選択する優先順位を低く設定するようにしたが、ジェスチャーによるロック解除手段の自動選択を禁止するようにしても良い。
【００５３】
つぎに、ステップ４０５で、マイク１６０により、カメラ１００の周囲の音声を集音し、ＣＰＵ１４０により、音圧を測定する。
【００５４】
つぎに、ステップ４０６で、ＣＰＵ１４０により、測定した音圧が所定の音圧以下かどうかを判別する。測定した音圧が所定の音圧以下の場合は、ステップ４０８に移行し、所定の音圧以上の場合は、ステップ４０７に移行する。ステップ４０７では、ＣＰＵ１４０により、音声入力によるロック解除手段を自動選択する優先順位を低く設定する。たとえば、人ごみの中などの騒音が大きい環境では、マイク１６０で騒音も集音してしまい、音声入力が正しく行われない可能性がある。そのため、音声入力によるロック解除手段を自動選択する優先順位を低く設定することで、マイク１６０を使用しない、ロック解除手段が自動選択されやすくすることができる。ここで、本実施形態では、所定の音圧以上の場合は、音声入力によるロック解除手段を自動選択する優先順位を低く設定するようにしたが、音声入力によるロック解除手段の自動選択を禁止するようにしても良い。
【００５５】
つぎに、ステップ４０８で、レンズ検知センサ（１８０）により、撮影レンズ１２０の着脱を検知し、ステップ４０９で撮影レンズ１２０がカメラ本体１１０に装着されているかどうかを判別する。撮影レンズ１２０が装着されている場合は、ステップ４１１に移行し、装着されていない場合は、ステップ４１０に移行する。ステップ４１０では、ＣＰＵ１４０により、顔認証によるロック解除手段を自動選択する優先順位を低く設定する。たとえば、撮影レンズ１２０が装着されていない状態では、顔認証をおこなうための撮影ができず、わざわざ撮影レンズ１２０を装着する必要がある。そのため、顔認証によるロック解除手段を自動選択する優先順位を低く設定することで、撮影レンズ１２０を使用しない、ロック解除手段が自動選択されやすくすることができる。ここで、本実施形態では、撮影レンズ１２０が装着されていない場合は、顔認証によるロック解除手段を自動選択する優先順位を低く設定するようにしたが、顔認証によるロック解除手段の自動選択を禁止するようにしても良い。
【００５６】
つぎに、ステップ４１１で、ＣＰＵ１４０により、ロック解除手段の自動選択をおこない、ロック解除手段を決定する。
【００５７】
つぎに、ステップ４１２で、決定したロック解除手段と対応づけられた背景のロック解除手段選択画面を、背面モニタ２００に表示する。たとえば、ステップ４１１で、パスワードによるロック解除手段に決定した場合は、ステップ４１２で、第１のロック解除手段選択画面２１０を、背面モニタ２００に表示する。ここで、本実施形態では、ユーザーが電源レバー１５２を操作して、カメラ１００の電源がｏｎ状態になると、ステップ４０１のロック解除手段の表示選択モードに移行するようにしたが、操作部材１５０（１５１〜１５７）のうちいずれかの操作により、ロック解除手段の表示選択モードに移行するようにしても良い。たとえば、ロック解除手段選択画面２１０、２２０、２３０、２４０のいずれかひとつにおいて、ユーザーがメニューボタン１５７を操作するたびに、ステップ４０１のロック解除手段の表示選択モードに移行するようにしても良い。
【００５８】
これにより、ロック解除手段の自動選択結果がユーザーの希望通りでない場合や、あらかじめ設定したロック解除方法を忘れてしまった場合に、自動選択をやり直すことができるため、ユーザーが状況に応じたロック解除手段を選択できるので、使い勝手が良い。
【００５９】
つぎに、図４および図７を参照して、ロック解除方法について説明する。図４および図７において、背面モニタ２００にロック解除手段選択画面２１０、２２０、２３０、２４０のうちいずれかひとつが表示されている状態で、ステップ５０１で、ユーザーが、タッチ入力により、ロック解除手段を選択する。たとえば、背面モニタ２００にロック解除手段選択画面２１０が表示されている状態で、パスワードアイコン２０１をタッチ入力により選択する。ここで、本実施形態では、タッチ入力により、ロック解除手段を選択するようにしたが、操作部材１５０（１５１〜１５７）のうちいずれかの操作により、ロック解除手段を選択するようにしても良い。たとえば、選択ダイヤル１５３の操作でロック解除手段を選択し、選択ボタン１５４の操作でロック解除手段を決定するようにしても良い。また、ロック解除手段選択画面において、方向入力ボタン１５５の、ロック解除手段が表示されている方向に対応する方向を押すことによって、ロック解除手段を選択するようにしても良い。
【００６０】
つぎに、ステップ５０２で、ＣＰＵ１４０により、選択したロック解除手段と、あらかじめ対応づけられた通知手段の組み合わせが正しいかどうかを判別する。組み合わせが正しい場合は、ステップ５０３に移行し、組み合わせが誤っている場合は、ステップ５０４に移行する。ステップ５０３では、ＣＰＵ１４０により、「ＯＫ」フラグを立てて、ステップ５０５に移行する。ステップ５０４では、ＣＰＵにより、「ＮＧ」フラグを立てて、ステップ５０５に移行する。ここで、「ＯＫ」フラグ、および、「ＮＧ」フラグはＣＰＵ１４０による内部的な処理とし、ユーザーへの通知はおこなわないことが望ましい。これにより、第三者が不正にロック解除をおこなおうとしても、操作が正しいがどうかの判別が困難なため、ロック解除方法の漏えいを防止することが可能である。
【００６１】
つぎに、ステップ５０５で、選択したロック解除手段に対応した、ロック解除画面（不図示）へ遷移する。
【００６２】
つぎに、ステップ５０６で、ユーザーが選択したロック解除手段に対応した、ロック解除操作をおこなう。たとえば、パスワードアイコン２０１をロック解除手段として選択した場合は、タッチ入力により、あらかじめ設定された複数の数字や文字の組み合わせを入力する、ロック解除操作をおこなう。
【００６３】
つぎに、ステップ５０７で、ＣＰＵにより、「ＯＫ」フラグ、または、「ＮＧ」フラグのどちらかが立てられているかを判別する。「ＯＫ」フラグが立てられている場合は、ステップ５０８に移行し、「ＮＧ」フラグが立てられている場合は、ステップ５１０に移行する。
【００６４】
つぎに、ステップ５０８で、ＣＰＵ１４０により、ロック解除操作が正しいかどうかを判別する。ロック解除操作が正しい場合は、ステップ５０９に移行する。ロック解除操作が誤っている場合は、ステップ５１０に移行する。
【００６５】
つぎに、ステップ５０９で、ＣＰＵ１４０により、ロック解除をおこなう。ステップ５１０では、背面モニタ２００に警告表示を所定時間おこなう。たとえば、「パスワードが正しくありません。」などの表示をおこなう。ここで、選択したロック解除手段と、あらかじめ対応づけられた通知手段の組み合わせが誤っているのか、ロック解除操作が誤っているのか、いずれも、ユーザーへの通知はおこなわないことが望ましい。これにより、第三者が不正にロック解除をおこなおうとしても、操作が正しいがどうかの判別が困難なため、ロック解除方法の漏えいを防止することが可能である。
【００６６】
つぎに、ステップ５１１で、ＣＰＵ１４０により、警告表示をおこなった回数をカウントする。
【００６７】
つぎに、ステップ５１２で、ＣＰＵ１４０により、警告表示をおこなった回数が所定回数以下かどうかを判別する。所定回数以下の場合は、ステップ５０５に戻り、ロック解除画面（不図示）へ遷移する。所定回数以上の場合は、ステップ５１３に移行する。
【００６８】
つぎに、ステップ５１３で、ＣＰＵ１４０により、顔認証によるロック解除手段に設定し、ステップ５０５に戻り、ロック解除画面（不図示）へ遷移する。ここで、本実施形態では、警告表示をおこなった回数が、所定回数以上の場合は、顔認証によるロック解除手段に設定するようにしたが、ロック解除を禁止するようにしても良い。これにより、第三者による、不正なロック解除を防止することが可能である。
【００６９】
以上、本発明の好ましい実施形態について説明したが、本発明はこれらの実施形態に限定されず、その要旨の範囲内で種々の変形及び変更が可能である。
【００７０】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７１】
１００  カメラ、１１０  カメラ本体、１２０  撮影レンズ、１３０  撮像素子、
１８０  レンズ検知センサ
【図１】
2015226167.tif 000003
【図２】
2015226167.tif 000004
【図３】
2015226167.tif 000005
【図４】
2015226167.tif 000006
【図５】
2015226167.tif 000007
【図６】
2015226167.tif 000008
【図７】
2015226167.tif 000009